(57)【要約】【課題】媒体処理装置４内の媒体の有無の確認を容易に行なう。【解決手段】外部から挿入された媒体に対して所定の処理を行なう媒体処理装置４と、情報処理装置１が動作状態の場合に、前記媒体処理装置４に第１電源電圧Ｖｃｃを供給する一方、前記情報処理装置１がシャットダウン状態の場合に、前記媒体処理装置４に第２電源電圧Ｖｃｃ＿スタンバイを供給可能な電源部６と、前記媒体処理装置４に前記媒体が挿入された状態で、前記情報処理装置１がシャットダウン状態の場合に、前記電源部６からの前記第２電源電圧Ｖｃｃ＿スタンバイを前記媒体処理装置４に供給する一方、前記第２電源電圧Ｖｃｃ＿スタンバイを供給された前記媒体処理装置４から前記媒体が排出された場合に、前記第２電源電圧Ｖｃｃ＿スタンバイの前記媒体処理装置４への供給を停止する電源供給制御部５と、を備える。【選択図】図２
2013069117.tif 000002
【特許請求の範囲】
【請求項１】
外部から挿入された媒体に対して所定の処理を行なう媒体処理装置と、
情報処理装置が動作状態の場合に、前記媒体処理装置に第１電源電圧を供給する一方、前記情報処理装置がシャットダウン状態の場合に、前記媒体処理装置に第２電源電圧を供給可能な電源部と、
前記媒体処理装置に前記媒体が挿入された状態で、前記情報処理装置がシャットダウン状態の場合に、前記電源部からの前記第２電源電圧を前記媒体処理装置に供給する一方、前記第２電源電圧を供給された前記媒体処理装置から前記媒体が排出された場合に、前記第２電源電圧の前記媒体処理装置への供給を停止する電源供給制御部と、を備えることを特徴とする、情報処理装置。
【請求項２】
前記媒体処理装置は、
前記媒体処理装置に媒体が挿入されている状態で、前記情報処理装置がシャットダウン状態の場合に、前記媒体処理装置に前記媒体が挿入されている間、前記第２電源電圧によって、前記電源供給制御部に媒体検出信号を出力する媒体検出部を備え、
前記電源供給制御部は、
前記媒体検出信号が入力されている間、前記電源部からの前記第２電源電圧を前記媒体処理装置に供給することを特徴とする、請求項１記載の情報処理装置。
【請求項３】
前記媒体検出部が前記媒体検出信号を出力している状態で、前記情報処理装置がシャットダウン状態の場合に、前記電源部からの前記第２電源電圧の供給を受けて、前記媒体が挿入された状態であることを示す表示を行なう表示部をさらに備えることを特徴とする、請求項２記載の情報処理装置。
【請求項４】
前記媒体処理装置は、さらに、
開閉することにより、前記媒体を前記媒体処理装置から排出又は前記媒体を前記媒体処理装置に挿入する媒体トレイと、
前記情報処理装置がシャットダウン状態の場合に、前記媒体トレイが開いている間、前記第２電源電圧によって、前記電源供給制御部にトレイオープン信号を出力するトレイオープン検出部と、を備え、
前記電源供給制御部は、前記媒体検出信号及び前記トレイオープン信号のうちの少なくとも一つが入力されている間、前記電源部からの前記第２電源電圧を前記媒体処理装置に供給することを特徴とする、請求項２又は請求項３記載の情報処理装置。
【請求項５】
前記媒体検出信号の入力を遅延させる遅延部をさらに備え、
前記電源供給制御部は、前記媒体検出信号、及び、前記遅延部において遅延された媒体検出信号、のうちの少なくとも一つが入力されている間、前記電源部からの前記第２電源電圧を前記媒体処理装置に供給することを特徴とする、請求項２又は請求項３記載の情報処理装置。
【請求項６】
情報処理装置が動作状態の場合に、媒体処理装置に第１電源電圧を供給する一方、前記情報処理装置がシャットダウン状態の場合に、前記媒体処理装置に第２電源電圧を供給可能な電源部を有する前記情報処理装置に備えられ、外部から挿入された媒体に対して所定の処理を行なう前記媒体処理装置であって、
前記媒体処理装置に前記媒体が挿入された状態で、前記情報処理装置がシャットダウン状態の場合に、前記電源部からの前記第２電源電圧を前記媒体処理装置内に供給する一方、前記第２電源電圧を供給された前記媒体処理装置から前記媒体が排出された場合に、前記第２電源電圧の前記媒体処理装置内への供給を停止する電源供給制御部を備えることを特徴とする、媒体処理装置。
【発明の詳細な説明】
【技術分野】
【０００１】
本件は、外部から挿入された媒体に対して所定の処理を行なう媒体処理装置を備えた情報処理装置及び媒体処理装置に関する。
【背景技術】
【０００２】
図１３は、パーソナルコンピュータ（Personal Computer；以下、ＰＣという）に搭載される光ディスク装置（媒体処理装置）４００における、光ディスク（媒体）の挿入及び排出に関わる構成の一例を示す図である。
図１３に例示するように、光ディスク装置４００は、ＣＤ−ＲＯＭ等の媒体を格納する媒体トレイ４３０、媒体トレイ４３０の開閉を行なうためのイジェクトボタン４４０、及び媒体トレイ４３０を強制的に開けさせる強制イジェクトホール４５０等を備える。ＰＣは、使用者によるイジェクトボタン４４０の操作に応じて、媒体トレイ４３０を開閉することにより、媒体トレイ４３０上に載置された媒体を光ディスク装置４００に挿入する。そして、ＰＣは、光ディスク装置４００に挿入された媒体から、記録されたデータや映像、音声等の読み取り等の処理を行なう。
【０００３】
光ディスク装置４００を内蔵するＰＣでは、電源がオフの場合、つまりＯＳ（Operating System）のシャットダウンが行なわれてＰＣが備える電源装置からＰＣ内への電力供給が停止した場合、光ディスク装置４００には、電力が供給されなくなる。すなわち、ＰＣの電源がオフの場合、媒体トレイ４３０を開閉する光ディスク装置４００内の図示しないモータ等にも電力が供給されないため、使用者によりイジェクトボタン４４０が押されても媒体トレイ４３０がオープンしない。
【０００４】
従来、ＰＣの使用者や第三者等（以下、単に使用者という）は、ＰＣの電源がオフになった後に、媒体の抜き取り忘れの有無、つまり光ディスク装置４００内の媒体の有無を確認したい場合、例えば以下の（ｉ）又は（ii）の手法を採っていた。
（ｉ）使用者がＰＣの電源を入れ、ＰＣ（ＯＳ）が立ち上がった後、イジェクトボタン４４０を押して媒体トレイ４３０を開け、媒体の有無を確認する
（ii）使用者が細長いピン等を用意して、強制イジェクトホール４５０にピンを押し込み、媒体トレイ４３０を強制的に開けて、媒体の有無を確認する
なお、関連する技術として、コンピュータにおいて、ソフトウェアによる電源断の際、ドライブ内のメディアの有無を検出し、メディアの存在が確認できた場合、ユーザに通知することにより、ドライブ内のメディアの置き忘れ防止を可能にする技術がある。
【先行技術文献】
【特許文献】
【０００５】
【特許文献１】特開２０００−３２２８０８号公報
【特許文献２】特開平９−３４３６５号公報
【発明の概要】
【発明が解決しようとする課題】
【０００６】
上記（ｉ）の手法では、使用者は、媒体の有無の確認に際して、媒体トレイ４３０を開けるために、ＰＣが立ち上がるまで待たなくてはならず、また、媒体の有無の確認後にＰＣの電源を切る手間も発生する。
また、上記（ii）の手法では、使用者は、強制イジェクトホール４５０に押し込むことができるピンを用意しなければならず、ピンを探す時間や手間がかかる。
【０００７】
さらに、上記（ii）の手法では、ピンがない場合や、光ディスク装置４００に強制イジェクトホール４５０が備えられていない場合には、使用者は上記（ii）の手法を採ることができず、上記（ｉ）の手法を採ることになる。
上記（ｉ）又は（ii）の手法に係る上述した問題は、特に、例えば学校や施設のコンピュータルーム等、複数台（例えば十数台〜数十台以上）のＰＣが設置された環境において、使用者が光ディスク装置４００から抜き取り忘れた媒体を探し出す場合には、多大な時間や手間を要することになる。
【０００８】
また、上述した、電源断の際、メディアの存在を確認できた場合にソフトウェアがユーザに通知する技術は、ＰＣが通電中つまり電源がオンの場合に行なわれるものであり、ＰＣの電源がオフになった場合には実行されない。
ここまで、光ディスク装置４００がＰＣに備えられる場合について説明したが、光ディスク装置４００が、ＡＶ機器や車両のナビゲーション装置等、ＰＣを含む様々な装置（情報処理装置）に搭載された場合においても同様の問題がある。
【０００９】
上述の点に鑑み、本件の目的の一つは、媒体処理装置内の媒体の有無の確認を容易に行なうことができる情報処理装置及び媒体処理装置を提供することである。
なお、前記目的に限らず、後述する発明を実施するための形態に示す各構成により導かれる作用効果であって、従来の技術によっては得られない作用効果を奏することも本発明の他の目的の一つとして位置付けることができる。
【課題を解決するための手段】
【００１０】
本件の情報処理装置は、外部から挿入された媒体に対して所定の処理を行なう媒体処理装置と、情報処理装置が動作状態の場合に、前記媒体処理装置に第１電源電圧を供給する一方、前記情報処理装置がシャットダウン状態の場合に、前記媒体処理装置に第２電源電圧を供給可能な電源部と、前記媒体処理装置に前記媒体が挿入された状態で、前記情報処理装置がシャットダウン状態の場合に、前記電源部からの前記第２電源電圧を前記媒体処理装置に供給する一方、前記第２電源電圧を供給された前記媒体処理装置から前記媒体が排出された場合に、前記第２電源電圧の前記媒体処理装置への供給を停止する電源供給制御部と、を備えるものである。
【００１１】
また、本件の媒体処理装置は、情報処理装置が動作状態の場合に、媒体処理装置に第１電源電圧を供給する一方、前記情報処理装置がシャットダウン状態の場合に、前記媒体処理装置に第２電源電圧を供給可能な電源部を有する前記情報処理装置に備えられ、外部から挿入された媒体に対して所定の処理を行なう前記媒体処理装置であって、前記媒体処理装置に前記媒体が挿入された状態で、前記情報処理装置がシャットダウン状態の場合に、前記電源部からの前記第２電源電圧を前記媒体処理装置内に供給する一方、前記第２電源電圧を供給された前記媒体処理装置から前記媒体が排出された場合に、前記第２電源電圧の前記媒体処理装置内への供給を停止する電源供給制御部を備えるものである。
【発明の効果】
【００１２】
開示の技術によれば、媒体処理装置内の媒体の有無の確認を容易に行なうことができる。
【図面の簡単な説明】
【００１３】
【図１】第１及び第２実施形態としての情報処理装置の構成例を示す図である。
【図２】第１実施形態に係る情報処理装置の詳細な構成例を示すブロック図である。
【図３】第１実施形態に係る情報処理装置の一例を示す正面図である。
【図４】第１実施形態に係る光ディスク装置における、光ディスクの挿入及び排出に関わる構成例を示す図である。
【図５】第１実施形態に係る情報処理装置の電源がオフの場合の、光ディスク装置及び表示部に供給される電源電圧の状態例を説明する図である。
【図６】第１実施形態に係る情報処理装置における、光ディスク装置及び表示部に対する電源制御の一例を説明するフローチャートである。
【図７】第１実施形態の変形例に係る情報処理装置の詳細な構成を示すブロック図である。
【図８】第１実施形態の変形例に係る光ディスク装置における、光ディスクの挿入及び排出に関わる構成を示す図である。
【図９】第１実施形態の変形例に係る情報処理装置の電源がオフの場合の、光ディスク装置及び表示部に供給される電源電圧の状態を説明する図である。
【図１０】第１実施形態の変形例に係る情報処理装置における、光ディスク装置及び表示部に対する電源制御を説明するフローチャートである。
【図１１】第２実施形態に係る情報処理装置の詳細な構成例を示すブロック図である。
【図１２】第２実施形態の変形例に係る情報処理装置の詳細な構成を示すブロック図である。
【図１３】ＰＣに搭載される光ディスク装置における、光ディスクの挿入及び排出に関わる構成の一例を示す図である。
【発明を実施するための形態】
【００１４】
以下、図面を参照して本発明の実施の形態を説明する。
〔１〕第１実施形態
〔１−１〕第１実施形態の構成
図１は、第１実施形態としての情報処理装置１の構成例を示す図であり、図２は、情報処理装置１の詳細な構成例を示すブロック図である。また、図３は、情報処理装置１の一例を示す正面図であり、図４は、光ディスク装置４における、光ディスクの挿入及び排出に関わる構成例を示す図である。
【００１５】
情報処理装置１は、例えば、ＰＣ，ＣＤプレーヤーやＤＶＤプレーヤー等の各種ＡＶ機器，車両のナビゲーション装置等の、光ディスク装置４の搭載が可能な各種装置である。
図１に例示するように、情報処理装置１は、ＣＰＵ（Central Processing Unit）２、チップセット３、光ディスク装置４、電源供給制御部５、電源部６、及び表示部７を備える。
【００１６】
なお、図１において二重線で示すラインは、制御バスやデータバス等のバスであり、実線で示すラインは、後述する電源部６から電源電圧Ｖｃｃ又はＶｃｃ＿スタンバイを各装置に供給するための電源ラインである。
ＣＰＵ２は、種々の制御や演算を行なう処理装置（プロセッサ）であり、光ディスク装置４やＨＤＤ（Hard Disk Drive）等のＩＯ装置、又はＲＯＭ（Read Only Memory）等に格納されたプログラムを、図示しないＲＡＭ（Random Access Memory）に一時的に格納・展開して実行することにより、種々の機能を実現する。なお、ＣＰＵ２に代えてＭＰＵ（Micro Processing Unit）等のプロセッサが備えられても良い。
【００１７】
電源部６は、情報処理装置１の外部の電力源から供給される電力を用いて、情報処理装置１内のＣＰＵ２、チップセット３、光ディスク装置４、電源供給制御部５、及び表示部７等の各装置に対して電源電圧Ｖｃｃ又はＶｃｃ＿スタンバイを供給するものであり、各装置に係るＶｃｃ電源又はＶｃｃ＿Ｄｕａｌ電源として機能する。
ここで、電源部６におけるＶｃｃ電源は、情報処理装置１の電源がオンの場合（情報処理装置１が動作状態の場合）、つまり情報処理装置１上でＣＰＵ２によりＯＳやファームウェア等が起動・実行されている場合に、各装置に対して電源電圧（第１電源電圧）Ｖｃｃを供給する電源である。つまり、Ｖｃｃ電源は、情報処理装置１の起動に伴い各装置に電源電圧Ｖｃｃを供給するものであり、情報処理装置１上でＣＰＵ２によるＯＳやファームウェア等の実行に用いられる電源電圧Ｖｃｃを供給するものである。また、Ｖｃｃ電源は、情報処理装置１の電源がオフの場合（情報処理装置１がシャットダウン状態の場合）、つまり情報処理装置１上でＣＰＵ２によりＯＳやファームウェア等のシャットダウンが行なわれた場合に、電源電圧Ｖｃｃの供給を停止する。
【００１８】
また、Ｖｃｃ＿Ｄｕａｌ電源は、情報処理装置１の電源がオンの場合に、少なくとも光ディスク装置４（電源供給制御部５）を含む情報処理装置１内の各装置に対してＶｃｃ電源と同様に電源電圧Ｖｃｃを供給する一方、情報処理装置１の電源がオフの場合に、少なくとも光ディスク装置４（電源供給制御部５）を含む情報処理装置１内の各装置に対して、電源電圧（第２電源電圧）Ｖｃｃ＿スタンバイを供給する。つまり、Ｖｃｃ＿Ｄｕａｌ電源としての電源部６は、情報処理装置１上でＣＰＵ２により実行されるＯＳ又はファームウェア等のシャットダウンが行なわれた場合に、情報処理装置１の電源がオフになったものとして（シャットダウン状態であるとして）、情報処理装置１内への電源電圧Ｖｃｃの供給を停止し、電源電圧Ｖｃｃ＿スタンバイの供給を行なう。
【００１９】
なお、シャットダウン状態には、ＯＳ又はファームウェア等の終了により、ＣＰＵ２、メモリ、ＨＤＤ等への給電が停止した状態の他に、メモリ上に展開された処理中のＯＳ等のプログラムをＨＤＤに保存してから、ＣＰＵ２、メモリ、ＨＤＤ等への給電を停止する休止状態や、ＣＰＵ２、ＨＤＤ等への給電を停止する一方、処理中のＯＳ等のプログラムが展開されているメモリへの給電を継続するスタンバイ（スリープ）状態等が含まれても良い。
【００２０】
光ディスク装置（媒体処理装置）４は、後述するチップセット３を介したＣＰＵ２からの制御に応じて、外部から挿入された光ディスク（媒体）に対して所定の処理を行なう装置である。光ディスク装置４は、例えば、ＣＰＵ２からのデータの取得要求に応じて、光ディスクからデータを取得したり、ＣＰＵ２からのデータの書込要求に応じて、光ディスクに対するデータの書き込み等を行なう。
【００２１】
ここで、光ディスクとは、ＣＤ（ＣＤ−ＲＯＭ，ＣＤ−Ｒ，ＣＤ−ＲＷ等），ＤＶＤ（ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷ，ＨＤ  ＤＶＤ等），ＢＤ（ＢＤ−ＲＯＭ，ＢＤ−Ｒ，ＢＤ−ＲＥ等），レーザーディスク等の、媒体処理装置が読取可能な記録媒体である。
なお、第１実施形態及び後述する第２実施形態に係る光ディスク装置４においては、処理対象の媒体として上記光ディスクを挙げているが、これに限定されるものではない。
【００２２】
媒体処理装置４による処理対象の媒体としては、媒体処理装置４による電気的及び機械的な制御により、媒体の挿入又は／及び排出が行なわれ得る、例えばＶＨＳ（登録商標）等のテープであっても良く、この場合、媒体処理装置４がビデオテープレコーダであっても良い。また、フレキシブルディスク，磁気ディスク，光磁気ディスク等のカートリッジ式の媒体であっても、媒体処理装置４による電気的及び機械的な制御により、媒体の挿入又は／及び排出が行なわれる場合には、媒体処理装置４による処理対象の媒体として用いることができる。
【００２３】
図２及び図４に例示するように、第１実施形態に係る光ディスク装置４Ａは、媒体検出部４１、トレイオープン検出部４２、媒体トレイ４３、イジェクトボタン４４、及び媒体トレイ４３を強制的に開けさせるための強制イジェクトホール４５を備える。なお、以下の説明において、光ディスク装置４Ａ及び後述する光ディスク装置４Ｂ〜４Ｄを区別しない場合には、単に光ディスク装置４という。
【００２４】
媒体検出部４１は、光ディスク装置４に光ディスクが挿入されているか否かを検出するものであり、光ディスク装置４（媒体トレイ４３）に光ディスクが挿入されている間、電源電圧Ｖｃｃ又はＶｃｃ＿スタンバイによって、媒体検出信号を出力する。
具体的には、媒体検出部４１は、後述する電源供給制御部５から光ディスク装置４に供給されている電源電圧Ｖｃｃ又はＶｃｃ＿スタンバイによって動作し、光ディスク装置４に光ディスクが挿入されていることを検出している間、電源供給制御部５及びチップセット３に媒体検出信号を出力する。
【００２５】
なお、媒体検出部４１は、光ディスク装置４の光ピックアップによって実現されても良いし、光ディスク装置４（媒体トレイ４３）内での光ディスクの有無を検出可能なセンサ等によって実現されても良い。
媒体トレイ４３は、開閉することにより、光ディスク等を光ディスク装置４Ａから排出又は光ディスクを光ディスク装置４Ａに挿入するトレイであり、使用者によるイジェクトボタン４４の操作により、媒体トレイ４３の開閉が行なわれる。
【００２６】
以下、使用者とは、情報処理装置１を使用する者のほか、媒体の抜き取り忘れの有無、つまり光ディスク装置４内の媒体の有無を確認したい第三者も含むものとする。
トレイオープン検出部４２は、媒体トレイ４３が開いている間、電源電圧Ｖｃｃ又はＶｃｃ＿スタンバイによって、トレイオープン信号を出力する。
具体的には、トレイオープン検出部４２は、媒体トレイ４３が開いている間、後述する電源供給制御部５Ａから光ディスク装置４Ａに供給されている電源電圧Ｖｃｃ又はＶｃｃ＿スタンバイによって動作し、電源供給制御部５Ａにトレイオープン信号を出力する。
【００２７】
なお、トレイオープン検出部４２は、リミットスイッチ等により実現されても良いし、媒体トレイ４３の開閉を検出可能なセンサ等によって実現されても良い。
電源供給制御部５は、電源部６からの電源電圧Ｖｃｃ又はＶｃｃ＿スタンバイを、光ディスク装置４及び表示部７に供給する制御を行なうものである。
具体的には、電源供給制御部５は、情報処理装置１の電源がオンの場合に、電源部６からの電源電圧Ｖｃｃを光ディスク装置４に供給するとともに、光ディスク装置４に光ディスクが挿入された状態で、情報処理装置１の電源がオフの場合に、電源電圧Ｖｃｃ＿スタンバイを光ディスク装置４及び表示部７に供給する制御を行なう。
【００２８】
また、電源供給制御部５は、電源電圧Ｖｃｃ＿スタンバイを供給された光ディスク装置４から光ディスクが排出された場合に、電源電圧Ｖｃｃ＿スタンバイの光ディスク装置４及び表示部７への供給を停止するものである。
図２に例示するように、第１実施形態に係る電源供給制御部５Ａは、スイッチ部５１、遅延部５４ａ、及びＯＲ回路５５を備える。なお、以下の説明において、電源供給制御部５Ａ及び後述する電源供給制御部５Ｂを区別しない場合には、単に電源供給制御部５という。また、以下の説明において、遅延部５４ａ及び後述する遅延部５４ｂを区別しない場合には、単に遅延部５４という。
【００２９】
遅延部５４ａは、トレイオープン検出部４２からのトレイオープン信号の入力を遅延させてスイッチ部５１に出力するものであり、例えばコンデンサ等の遅延素子により構成することができる。
スイッチ部５１は、光ディスク装置４及び表示部７に供給されるＶｃｃ＿Ｄｕａｌ電源のオン／オフを切り替えるものであり、図２に例示するように、ＯＲ回路５２ａ及びスイッチ５３を備える。
【００３０】
ＯＲ回路５２ａは、入力側に媒体検出信号、トレイオープン信号、及び、遅延部５４ａにおいて遅延されたトレイオープン信号、を伝送するラインがそれぞれ接続されるとともに、出力側にスイッチ５３が接続される。ＯＲ回路５２ａは、入力側にこれらの信号のうちの少なくとも一つが入力されている間、スイッチ５３をオンに切り替える信号を出力側から出力する。なお、スイッチ５３としての機能は、例えばトランジスタ等の素子により実現することができる。
【００３１】
ＯＲ回路５５は、入力側にＶｃｃ電源及びＶｃｃ＿Ｄｕａｌ電源からの電源ラインがそれぞれ接続されるとともに、出力側に光ディスク装置４及び表示部７に電源電圧Ｖｃｃ又はＶｃｃ＿スタンバイを供給するための電源ラインが接続される。
ＯＲ回路５５は、入力側のＶｃｃ電源から電源電圧Ｖｃｃが入力されると、当該電源電圧Ｖｃｃを光ディスク装置４及び表示部７に出力する。また、ＯＲ回路５５は、スイッチ部５１によりＯＲ回路５５の入力側のＶｃｃ＿Ｄｕａｌ電源がオンになっている場合（スイッチ５３がオンになっている場合）に、入力側のＶｃｃ電源からの電源電圧Ｖｃｃの供給がオンからオフに切り替わると（情報処理装置１の電源がオンからオフになると）、入力側のＶｃｃ＿Ｄｕａｌ電源から入力されるＶｃｃ＿スタンバイを光ディスク装置４及び表示部７に出力する。
【００３２】
すなわち、電源供給制御部５は、情報処理装置１の電源がオンの場合に、Ｖｃｃ電源（又はＶｃｃ＿Ｄｕａｌ電源）から供給される電源電圧Ｖｃｃを光ディスク装置４及び表示部７に供給する。
また、電源供給制御部５Ａは、情報処理装置１の電源がオフの場合に、媒体検出信号、トレイオープン信号、及び、遅延部５４ａにおいて遅延されたトレイオープン信号、のうちの少なくとも一つが入力されている間、電源電圧Ｖｃｃ＿スタンバイを光ディスク装置４Ａ及び表示部７に供給する。より具体的には、電源供給制御部５Ａは、媒体検出信号、トレイオープン信号、及び、遅延部５４ａにおいて遅延されたトレイオープン信号、のうちの少なくとも一つが入力されている状態で、情報処理装置１の電源がオンからオフに切り替わった場合に、これらの少なくとも一つの信号が入力されている間は、電源電圧Ｖｃｃ＿スタンバイを光ディスク装置４Ａ及び表示部７に供給するものである。
【００３３】
換言すれば、媒体検出部４１、トレイオープン検出部４２、スイッチ部５１、遅延部５４ａ、及びＯＲ回路５５は、情報処理装置１の電源がオンの状態で光ディスクが光ディスク装置４Ａに挿入された場合に、当該光ディスクが排出されるまでは、光ディスク装置４Ａ及び表示部７に電源電圧（情報処理装置１の電源がオンの場合にはＶｃｃ、オフの場合にはＶｃｃ＿スタンバイ）を供給し続ける自己保持回路として機能する。
【００３４】
上述の如く構成された光ディスク装置４Ａ及び電源供給制御部５Ａによれば、光ディスク装置４Ａに光ディスクが挿入された状態で、情報処理装置１の電源がオフになった場合も、光ディスク装置４Ａに光ディスクが挿入されている間は、電源電圧Ｖｃｃ＿スタンバイが光ディスク装置４Ａに供給される。従って、使用者は、情報処理装置１の電源がオフになった場合でも、イジェクトボタン４４を押すことで、媒体トレイ４３を開閉することができ、光ディスク装置４Ａ内の光ディスクの有無の確認を容易に行なうことができる。
【００３５】
表示部７は、例えばＬＥＤ（Light Emitting Diode）等の発光素子であり、光ディスク装置４に光ディスクが挿入されている状態であることを、点灯又は点滅制御されることにより表示するものである。すなわち、表示部７は、光ディスクの抜き取り忘れ防止用に備えられるものである。以下、表示部７はＬＥＤであるものとして説明する。
なお、表示部７は、光ディスクが挿入されている状態を文字や音等で表示する、ＬＣＤ（Liquid Crystal Display）等のディスプレイや、ブザー等の音響機器であっても良い。或いは、表示部７は、光ディスクが挿入されている状態である旨を、有線若しくは無線で情報処理装置１に接続されたホスト装置等に送信（通知）する、送信器等であっても良い。このように、表示部７は、光ディスク装置４に光ディスクが挿入されている状態であることを使用者に通知する通知部として機能する。
【００３６】
表示部７は、媒体検出部４１が媒体検出信号を出力している状態で、情報処理装置１の電源がオンの場合には、電源供給制御部５からの電源電圧Ｖｃｃの供給を受けて、光ディスクが挿入された状態であることを示す表示を行なう。一方、表示部７は、媒体検出部４１が媒体検出信号を出力している状態で、情報処理装置１の電源がオフになった場合に、電源電圧Ｖｃｃ＿スタンバイの供給を受けて、光ディスクが挿入された状態であることを示す表示を行なう。
【００３７】
なお、表示部７は、情報処理装置１の任意の箇所に備えられて良い。例えば、表示部７は、図３に示すように、情報処理装置１の筐体（前面パネル）の一部に備えられても良く、図４に示すように、光ディスク装置４の前面に備えられても良い。
チップセット（制御部）３は、ＣＰＵ２及び光ディスク装置４に接続され、ＣＰＵ２からの要求に応じて光ディスク装置４に対する制御を行なうものである。チップセット３としては、例えばＩＯコントローラが挙げられる。なお、チップセット３としての機能は、情報処理装置１の構成に応じて、ＣＰＵ２が備えても良い。
【００３８】
また、チップセット３は、媒体検出部４１から媒体検出信号を入力されて、表示部７に係る制御を行なう。
具体的には、チップセット３は、媒体検出部４１から媒体検出信号が入力されている間、表示部７に光ディスクが挿入された状態であることを示す表示を行なわせる制御（点灯又は点滅制御）を行なう。なお、チップセット３は、媒体検出部４１からの媒体検出信号の入力が停止した場合には、表示部７に対する点灯又は点滅制御を停止する。
【００３９】
図２に例示するように、チップセット３は、ＧＰＩ（General Purpose Input；汎用入力部）３１及びＧＰＯ（General Purpose Output；汎用出力部）３２を備える。
ＧＰＩ３１は、チップセット３の制御対象の各装置から信号が入力されるものであり、第１実施形態においては媒体検出部４１からの媒体検出信号が入力される。
ＧＰＯ３２は、ＧＰＩ３１に媒体検出信号が入力されている間、電源供給制御部５から表示部７に供給される電源電圧（情報処理装置１の電源がオンの場合にはＶｃｃ、オフの場合にはＶｃｃ＿スタンバイ）により、表示部７に対する点灯又は点滅制御を行なう。
【００４０】
例えば、ＧＰＩ３１は、媒体検出部４１から媒体検出信号が入力されると、図示しないレジスタをオンにセットする一方、媒体検出信号の入力が停止すると、レジスタをオフにセットし、ＧＰＯ３２は、このレジスタを参照することで、表示部７に対する点灯又は点滅制御を行なうようにしても良い。
なお、チップセット３は、電源部６のＶｃｃ＿Ｄｕａｌ電源が接続されているため、チップセット３としての動作は、情報処理装置１の電源がオフの場合にも、Ｖｃｃ＿Ｄｕａｌ電源からの電源電圧Ｖｃｃ＿スタンバイの供給を受けて継続することができる。
【００４１】
上述の如く構成された表示部７及びチップセット３によれば、光ディスク装置４に光ディスクが挿入された状態で、情報処理装置１の電源がオフになった場合も、光ディスク装置４に光ディスクが挿入されており媒体検出部４１から媒体検出信号が出力されている間は、電源電圧Ｖｃｃ＿スタンバイの供給を受けて、表示部７の点灯又は点滅が維持される。従って、使用者は、情報処理装置１の電源がオフになった場合でも、表示部７の点灯又は点滅状態を確認することで、光ディスク装置４内の光ディスクの有無の確認を容易に行なうことができる。
【００４２】
次に、上述の如く構成された情報処理装置１における、媒体検出信号、トレイオープン信号、及び光ディスク装置４Ａに供給される電源電圧Ｖｃｃ＿スタンバイの関係について説明する。
図５は、第１実施形態に係る光ディスク装置４Ａに光ディスクが挿入された状態で、情報処理装置１の電源がオンからオフに切り替わった場合の、光ディスク装置４Ａ及び表示部７に供給される電源電圧Ｖｃｃ＿スタンバイの状態例を説明する図である。
【００４３】
ここで、図５（ａ）は、電源電圧Ｖｃｃ＿スタンバイが供給されている光ディスク装置４Ａに対して、使用者がイジェクトボタン４４を押して媒体トレイ４３を開いたものの、光ディスクを排出せずに、イジェクトボタン４４を押して媒体トレイ４３を閉じた場合を示すものである。また、図５（ｂ）は、電源電圧Ｖｃｃ＿スタンバイが供給されている光ディスク装置４Ａに対して、使用者がイジェクトボタン４４を押して媒体トレイ４３を開き、光ディスクを排出した後に、イジェクトボタン４４を押して媒体トレイ４３を閉じた場合を示すものである。
【００４４】
はじめに図５（ａ）に示す場合について説明する。
タイミングｔ０は、光ディスク装置４Ａに光ディスクが挿入された状態で、情報処理装置１の電源がオンからオフに切り替わった状態である。
タイミングｔ０では、光ディスクが媒体トレイ４３に挿入され、且つ媒体トレイ４３は閉じているため、トレイオープン信号は“Ｌ”（例えば０Ｖ）、媒体検出信号は“Ｈ”（例えば１Ｖ）となる。従って、“Ｈ”である媒体検出信号によりスイッチ５３がオンとなり、電源供給制御部５Ａによって、光ディスク装置４Ａに電源電圧Ｖｃｃ＿スタンバイが供給される。また、媒体検出信号が“Ｈ”であるため、表示部７が点灯又は点滅する。
【００４５】
タイミングｔ１において、使用者によりイジェクトボタン４４が押されると、媒体トレイ４３が開くため、トレイオープン信号は“Ｈ”（例えば１Ｖ）となる。一方、媒体トレイ４３が開くことで媒体検出部４１により光ディスクが検出されなくなるため、媒体検出信号は“Ｌ”（例えば０Ｖ）となる。従って、“Ｈ”であるトレイオープン信号によりスイッチ５３は引き続きオンとなり、電源供給制御部５Ａによって、光ディスク装置４Ａに電源電圧Ｖｃｃ＿スタンバイが供給される。また、媒体検出信号が“Ｌ”であるため、表示部７が消灯する。
【００４６】
使用者により開いている媒体トレイ４３から光ディスクが排出されずに、イジェクトボタン４４が押され、タイミングｔ２において、媒体トレイ４３が閉じると、媒体検出部４１では光ディスクが再度検出され、媒体検出信号は“Ｈ”となる。一方、媒体トレイ４３が閉じることでトレイオープン検出部５２によりトレイオープン信号の出力が停止されるが、遅延部５４ａにより遅延時間（ここではΔｔ）だけトレイオープン信号の“Ｈ”から“Ｌ”への切り替わりが遅延される。従って、タイミングｔ２では、“Ｈ”である遅延されたトレイオープン信号と媒体検出信号とによりスイッチ５３は引き続きオンとなり、電源供給制御部５Ａによって、光ディスク装置４Ａに電源電圧Ｖｃｃ＿スタンバイが供給される。また、タイミングｔ２では、媒体検出信号が“Ｈ”であるため、表示部７が点灯又は点滅する。
【００４７】
タイミングｔ３（＝ｔ２＋Δｔ）では、遅延部５４ａにより遅延されたトレイオープン信号が“Ｌ”になる一方、光ディスクが媒体トレイ４３に挿入されているため媒体検出信号は“Ｈ”である。従って、“Ｈ”である媒体検出信号によりスイッチ５３は引き続きオンとなり、電源供給制御部５Ａによって、光ディスク装置４Ａに電源電圧Ｖｃｃ＿スタンバイが供給される。また、タイミングｔ３では、“Ｈ”である媒体検出信号により、表示部７が引き続き点灯又は点滅する。
【００４８】
次いで図５（ｂ）に示す場合について説明する。なお、タイミングｔ１までは図５（ａ）に示す場合と同様であるため、タイミングｔ２′以降について説明する。
使用者により開いている媒体トレイ４３から光ディスクが排出され、イジェクトボタン４４が押され、タイミングｔ２′において、媒体トレイ４３が閉じると、媒体検出部４１では光ディスクが検出されず、媒体検出信号は“Ｌ”が維持される。一方、タイミングｔ２′で媒体トレイ４３が閉じることでトレイオープン検出部５２によりトレイオープン信号の出力が停止されるが、遅延部５４ａにより遅延時間Δｔだけトレイオープン信号の“Ｈ”から“Ｌ”への切り替わりが遅延される。従って、タイミングｔ２′では、“Ｈ”である遅延されたトレイオープン信号によりスイッチ５３は引き続きオンとなり、電源供給制御部５Ａによって、光ディスク装置４Ａに電源電圧Ｖｃｃ＿スタンバイが供給される。また、タイミングｔ２′では、媒体検出信号が“Ｌ”であるため、表示部７が引き続き消灯する。
【００４９】
なお、光ディスク装置４Ａは、タイミングｔ２′以後遅延時間Δｔの間、電源電圧Ｖｃｃ＿スタンバイの供給を受けて、内部での媒体トレイ４３の収納動作を完了させる。
タイミングｔ３′（＝ｔ２′＋Δｔ）では、遅延部５４ａにより遅延されたトレイオープン信号が“Ｌ”になる。従って、ともに“Ｌ”であるトレイオープン信号及び媒体検出信号によりスイッチ５３はオフとなり、電源供給制御部５Ａによって、光ディスク装置４Ａに供給される電源電圧Ｖｃｃ＿スタンバイがオフに切り替えられる。また、タイミングｔ３′では、媒体検出信号が“Ｌ”であるため、表示部７が引き続き消灯する。
【００５０】
〔１−２〕第１実施形態の動作
次に、上述の如く構成された第１実施形態に係る情報処理装置１における、光ディスク装置４Ａ及び表示部７に対する電源制御の一例を説明する。
図６は、第１実施形態に係る情報処理装置１における、光ディスク装置４Ａ及び表示部７に対する電源制御の一例を説明するフローチャートである。
【００５１】
はじめに、使用者等により、情報処理装置１の電源がオンにされ、ＯＳが起動される（ステップＳ１）。
次いで、媒体検出部４１により、光ディスクが光ディスク装置４Ａ内に存在するか否かが判断される（ステップＳ２）。
光ディスクが光ディスク装置４Ａ内に存在しない場合（ステップＳ２のＮｏルート）、ＣＰＵ２により、ＯＳのシャットダウン操作が行なわれたか否かが判断される（ステップＳ３）。ＯＳのシャットダウン操作が行なわれた場合には（ステップＳ３のＹｅｓルート）、ＣＰＵ２により、ＯＳがシャットダウンされ、情報処理装置１の電源がオフにされて（ステップＳ４）、処理が終了する。一方、ＯＳのシャットダウン操作が行なわれていない場合には（ステップＳ３のＮｏルート）、ステップＳ２の処理に移行する。
【００５２】
ステップＳ２において、光ディスクが光ディスク装置４Ａ内に存在する場合には（ステップＳ２のＹｅｓルート）、媒体検出信号を入力されたチップセット３により、表示部７としてのＬＥＤを点灯（点滅）するためのレジスタがオンにセットされ、表示部７が点灯（点滅）される（ステップＳ５）。
次に、光ディスク装置４Ａにより、光ディスクが排出されたか否かが判断される（ステップＳ６）。光ディスクが排出された場合には（ステップＳ６のＹｅｓルート）、媒体検出信号がオフになり、チップセット３によってレジスタがオフにセットされ、表示部７が消灯されて（ステップＳ７）、ステップＳ２の処理に移行する。
【００５３】
光ディスクが排出されていない場合（ステップＳ６のＮｏルート）、ＣＰＵ２により、ＯＳのシャットダウン操作が行なわれたか否かが判断される（ステップＳ３′）。ＯＳのシャットダウン操作が行なわれていない場合には（ステップＳ３′のＮｏルート）、ステップＳ６の処理に移行する。一方、ＯＳのシャットダウン操作が行なわれた場合には（ステップＳ３′のＹｅｓルート）、ＣＰＵ２により、ＯＳがシャットダウンされ、情報処理装置１の電源がオフにされるとともに、レジスタがオンにセットされているため、制御部３により表示部７の点灯（点滅）が継続される（ステップＳ８）。また、媒体検出信号が出力されているため、電源供給制御部５Ａにより、光ディスク装置４ＡにＶｃｃ＿Ｄｕａｌ電源から電源電圧Ｖｃｃ＿スタンバイが供給される。
【００５４】
そして、トレイオープン検出部４２によって媒体トレイ４３が開かれることが検出されるまで、媒体検出信号により、光ディスク装置４Ａに電源電圧Ｖｃｃ＿スタンバイの供給が維持される（ステップＳ９及びステップＳ９のＮｏルート）。
媒体トレイ４３が開いたことが検出されると（ステップＳ９のＹｅｓルート）、トレイオープン検出部４２によって媒体トレイ４３の収納操作が行なわれたことが検出されるまで、トレイオープン信号により、光ディスク装置４Ａに電源電圧Ｖｃｃ＿スタンバイの供給が維持される（ステップＳ１０及びステップＳ１０のＮｏルート）。
【００５５】
媒体トレイ４３の収納操作が行なわれたことが検出されると（ステップＳ１０のＹｅｓルート）、遅延部５４ａにより遅延されたトレイオープン信号がスイッチ部５１に入力され、媒体トレイ４３の収納操作が完了するまで、光ディスク装置４Ａに電源電圧Ｖｃｃ＿スタンバイの供給が維持される（ステップＳ１１）。
次に、媒体検出部４１により光ディスクが光ディスク装置４Ａから排出されたか否かが検出され（ステップＳ１２）、光ディスクが光ディスク装置４Ａから排出されていない場合（ステップＳ１２）、つまり光ディスク装置４Ａ内で光ディスクが検出された場合には、ステップＳ９の処理に移行する。
【００５６】
一方、光ディスクが光ディスク装置４Ａから排出された場合（ステップＳ１２のＹｅｓルート）、スイッチ部５１には媒体検出信号及びトレイオープン信号が入力されないため、電源供給制御部５Ａにより、光ディスク装置４ＡへのＶｃｃ＿Ｄｕａｌ電源からの電源電圧Ｖｃｃ＿スタンバイの供給が停止される（ステップＳ１３）。
また、チップセット３には、媒体検出信号が入力されなくなるため、チップセット３により、レジスタがオフにセットされ、表示部７が消灯されて（ステップＳ１４）、処理が終了する。
【００５７】
上述のように、第１実施形態に係る情報処理装置１によれば、電源供給制御部５Ａにより、光ディスク装置４Ａに光ディスクが挿入された状態で、情報処理装置１がシャットダウン状態の場合に、電源部６からの電源電圧Ｖｃｃ＿スタンバイが光ディスク装置４Ａに供給される。
従って、使用者は、情報処理装置１がシャットダウン状態であっても、光ディスク装置４Ａに光ディスクが挿入されている場合には、イジェクトボタン４４を押すことで媒体トレイ４３を開閉することができ、光ディスク装置４Ａ内の光ディスクの有無の確認を、上述した従来の（ｉ）又は（ii）の手法よりも容易に行なうことができる。また、情報処理装置１がシャットダウン状態であっても、使用者は、光ディスク装置４Ａに光ディスクが挿入されている場合には、媒体トレイ４３を開いて光ディスクを取り出すことができるため、従来の（ｉ）又は（ii）の手法に比して、光ディスクを取り出すための時間や手間を低減することができる。
【００５８】
また、電源供給制御部５Ａにより、電源電圧Ｖｃｃ＿スタンバイを供給された光ディスク装置４Ａから光ディスクが排出された場合に、電源電圧Ｖｃｃ＿スタンバイの光ディスク装置４Ａへの供給が停止される。従って、光ディスク装置４Ａから光ディスクが排出された場合には、光ディスク装置４Ａへの電源電圧Ｖｃｃ＿スタンバイの供給が停止するため、情報処理装置１がシャットダウン状態の場合の消費電力を抑えることができる。
【００５９】
さらに、電源供給制御部５により、Ｖｃｃ電源又はＶｃｃ＿Ｄｕａｌ電源としての電源部６からの電源電圧Ｖｃｃ又はＶｃｃ＿スタンバイが光ディスク装置４に供給される。従って、光ディスク装置４は、情報処理装置１がシャットダウン状態の場合も、情報処理装置１が動作状態の場合と同一の電源部６から電源電圧を供給されるため、他の電源を備えずに済み、製造コストを抑えることができるとともに、情報処理装置１の装置規模の増大を抑えることができる。
【００６０】
また、光ディスク装置４Ａに光ディスクが挿入された状態で、情報処理装置１がシャットダウン状態の場合も、媒体検出部４１から媒体検出信号が出力されている間は、電源電圧Ｖｃｃ＿スタンバイの供給を受けて、表示部７が点灯又は点滅する。従って、使用者は、情報処理装置１がシャットダウン状態の場合でも、表示部７の点灯又は点滅状態を確認することで、光ディスク装置４Ａ内の媒体の有無の確認を、上述した従来の（ｉ）又は（ii）の手法よりも容易に行なうことができる。
【００６１】
さらに、情報処理装置１がシャットダウン状態の場合も、媒体検出信号、トレイオープン信号、及び、遅延部５４ａにおいて遅延されたトレイオープン信号、のうちの少なくとも一つが入力されている間、電源電圧Ｖｃｃ＿スタンバイが光ディスク装置４Ａに供給される。従って、媒体検出信号及びトレイオープン信号については、光ディスク装置４Ａにおける既存の検出手段を用いることで実現でき、製造コストを抑えることができる。
【００６２】
また、遅延部５４ａにより、電源電圧Ｖｃｃ＿スタンバイの供給が停止するまでの時間が調整されるため、光ディスクが排出され、媒体トレイ４３が閉じられた後の光ディスク装置４Ａ内部の媒体トレイ４３の収納動作を確実に実行することができる。
さらに、上述した情報処理装置１は、電源供給制御部５及び表示部７を用意するだけで、光ディスク装置４及びチップセット３等は既存のものを用いることができるため、製造コストを抑えることができる。
【００６３】
〔１−３〕第１実施形態の変形例
上述した第１実施形態に係る情報処理装置１では、光ディスク装置４が、媒体トレイ４３を備える光ディスク装置４Ａである場合について説明したが、これに限定されるものではない。
第１実施形態の変形例に係る情報処理装置１は、図７及び図８に示すスロットイン方式を採用する光ディスク装置４Ｂを備えるものである。
【００６４】
図７は、第１実施形態の変形例に係る情報処理装置１の詳細な構成を示すブロック図であり、図８は、光ディスク装置４Ｂにおける、光ディスクの挿入及び排出に関わる構成を示す図である。なお、図７及び図８に示す情報処理装置１において既述の符号と同一の符号は、図２及び図４に示す第１実施形態に係る情報処理装置１と同一の部分若しくは略同一の部分を示しているため、重複した説明は省略する。
【００６５】
図８に例示するように、第１実施形態の変形例に係る光ディスク装置４Ｂは、図４に示す媒体トレイ４３及び強制イジェクトホール４５に代えて、スロット４６を備える。
すなわち、図７に例示するように、光ディスク装置４Ｂは、媒体トレイ４３を備えないため、図２に示すトレイオープン検出部４２も備えていない。
一方、第１実施形態の変形例に係る電源供給制御部５Ｂは、遅延部５４ａに代えて、媒体検出信号の入力を遅延させる遅延部５４ｂを備える。また、ＯＲ回路５２ｂの入力側には、媒体検出信号を伝送するラインと、遅延部５４ｂにより遅延された媒体検出信号を伝送するラインとが接続される。
【００６６】
すなわち、電源供給制御部５Ｂは、情報処理装置１の電源がオフの場合に、媒体検出信号、及び、遅延部５４ｂにおいて遅延された媒体検出信号、のうちの少なくとも一つが入力されている間、電源電圧Ｖｃｃ＿スタンバイを光ディスク装置４Ｂ及び表示部７に供給する。
より具体的には、電源供給制御部５Ｂは、媒体検出信号、及び、遅延部５４ｂにおいて遅延された媒体検出信号、のうちの少なくとも一つが入力されている状態で、情報処理装置１の電源がオンからオフに切り替わった場合に、これらの少なくとも一つの信号が入力されている間は、電源電圧Ｖｃｃ＿スタンバイを光ディスク装置４Ｂ及び表示部７に供給するものである。
【００６７】
換言すれば、媒体検出部４１、スイッチ部５１、遅延部５４ｂ、及びＯＲ回路５５により、上述した自己保持回路としての機能が実現される。
上述の如く構成された光ディスク装置４Ｂ及び電源供給制御部５Ｂによっても、光ディスク装置４Ｂに光ディスクが挿入された状態で、情報処理装置１がシャットダウン状態の場合も、光ディスク装置４Ｂに光ディスクが挿入されている間は、電源電圧Ｖｃｃ＿スタンバイが光ディスク装置４Ｂに供給される。従って、使用者は、情報処理装置１がシャットダウン状態の場合でも、イジェクトボタン４４を押すことで、スロット４６から光ディスクを排出することができ、光ディスク装置４Ｂ内の光ディスクの有無の確認を容易に行なうことができる。
【００６８】
次に、上述の如く構成された情報処理装置１における、媒体検出信号、及び光ディスク装置４Ｂに供給される電源電圧Ｖｃｃ＿スタンバイの関係について説明する。
図９は、第１実施形態の変形例に係る光ディスク装置４Ｂに光ディスクが挿入された状態で、情報処理装置１の電源がオンからオフに切り替わった場合の、光ディスク装置４Ｂ及び表示部７に供給される電源電圧Ｖｃｃ＿スタンバイの状態例を説明する図である。
【００６９】
ここで、図９は、電源電圧Ｖｃｃ＿スタンバイが供給されている光ディスク装置４Ｂに対して、使用者がイジェクトボタン４４を押して光ディスクをスロット４６から排出した場合を示すものである。
タイミングｔ４は、光ディスク装置４Ｂに光ディスクが挿入された状態で、情報処理装置１の電源がオンからオフに切り替わった状態である。
【００７０】
タイミングｔ４では、光ディスクがスロット４６に挿入されているため、媒体検出信号は“Ｈ”となる。従って、“Ｈ”である媒体検出信号によりスイッチ５３がオンとなり、電源供給制御部５Ｂによって、光ディスク装置４Ｂに電源電圧Ｖｃｃ＿スタンバイが供給される。また、媒体検出信号が“Ｈ”であるため、表示部７が点灯又は点滅する。
使用者によりイジェクトボタン４４が押され、光ディスクがスロット４６から排出され、タイミングｔ５において、媒体検出部４１により光ディスクが検出されなくなると、媒体検出部４１により媒体検出信号の出力が停止されるが、遅延部５４ｂにより遅延時間Δｔだけ媒体検出信号の“Ｈ”から“Ｌ”への切り替わりが遅延される。従って、タイミングｔ５では、“Ｈ”である遅延された媒体検出信号によりスイッチ５３は引き続きオンとなり、電源供給制御部５Ｂによって、光ディスク装置４Ｂに電源電圧Ｖｃｃ＿スタンバイが供給される。また、タイミングｔ５では、遅延された媒体検出信号が“Ｈ”であるため、表示部７が引き続き点灯又は点滅する。
【００７１】
なお、光ディスク装置４Ｂは、タイミングｔ５以後遅延時間Δｔの間、電源電圧Ｖｃｃ＿スタンバイの供給を受けて、光ディスク排出後のスロット４６の内部動作を完了させる。
タイミングｔ６（＝ｔ５＋Δｔ）では、遅延部５４ｂにより遅延された媒体検出信号が“Ｌ”になる。従って、“Ｌ”である媒体検出信号によりスイッチ５３はオフとなり、電源供給制御部５Ｂによって、光ディスク装置４Ｂに供給される電源電圧Ｖｃｃ＿スタンバイがオフに切り替えられる。また、タイミングｔ６では、媒体検出信号が“Ｌ”であるため、表示部７が消灯する。
【００７２】
次に、上述の如く構成された第１実施形態の変形例に係る情報処理装置１における、光ディスク装置４Ｂ及び表示部７に対する電源制御を説明する。
図１０は、第１実施形態の変形例に係る情報処理装置１における、光ディスク装置４Ｂ及び表示部７に対する電源制御を説明するフローチャートである。
以下、上述した図６に示す符号と同一の符号が付された処理は、第１実施形態における処理と同一又は略同一の処理を示すため、その詳細な説明を省略する。
【００７３】
図１０のステップＳ８において、光ディスクが挿入された状態で、情報処理装置１の電源がオフになった場合に、図６を用いて既述の如く、電源供給制御部５Ｂにより、光ディスク装置４にＶｃｃ＿Ｄｕａｌ電源から電源電圧Ｖｃｃ＿スタンバイが供給される。
そして、媒体検出部４１によって光ディスクが光ディスク装置４Ｂから排出されたことが検出されるまで、媒体検出信号により、光ディスク装置４Ｂに電源電圧Ｖｃｃ＿スタンバイの供給が維持される（ステップＳ８及びステップＳ１２のＮｏルート）。
【００７４】
光ディスクが光ディスク装置４Ｂから排出された場合（ステップＳ１２のＹｅｓルート）、遅延部５４ｂにより遅延された媒体検出信号がスイッチ部５１に入力され、光ディスク排出に伴うスロット４６内の処理が完了するまで、光ディスク装置４Ｂに電源電圧Ｖｃｃ＿スタンバイの供給が維持される（ステップＳ１１′）。
スイッチ部５１に媒体検出信号が入力されなくなると、電源供給制御部５により、光ディスク装置４ＢへのＶｃｃ＿Ｄｕａｌ電源からの電源電圧Ｖｃｃ＿スタンバイの供給が停止される（ステップＳ１３）。
【００７５】
また、チップセット３には、媒体検出信号が入力されなくなるため、チップセット３により、レジスタがオフにセットされ、表示部７が消灯されて（ステップＳ１４）、処理が終了する。
上述のように、第１実施形態の変形例に係る情報処理装置１によっても、上述した第１実施形態と同様の効果を奏することができる。
【００７６】
また、使用者は、情報処理装置１がシャットダウン状態であっても、光ディスク装置４Ｂに光ディスクが挿入されている場合には、イジェクトボタン４４を押すことで光ディスクをスロット４６から排出することができる。従って、光ディスク装置４Ｂ内の光ディスクの有無の確認を、上述した従来の（ｉ）又は（ii）の手法よりも容易に行なうことができるとともに、光ディスクを取り出すための時間や手間を低減することができる。
【００７７】
また、情報処理装置１がシャットダウン状態の場合も、媒体検出信号、及び、遅延部５４ｂにおいて遅延された媒体検出信号、のうちの少なくとも一つが入力されている間、電源電圧Ｖｃｃ＿スタンバイが光ディスク装置４Ｂに供給される。従って、媒体検出信号については、光ディスク装置４Ｂにおける既存の検出手段を用いることで実現でき、製造コストを抑えることができる。
【００７８】
さらに、遅延部５４ｂにより、電源電圧Ｖｃｃ＿スタンバイの供給が停止するまでの時間が調整されるため、光ディスクがスロット４６から排出された後の光ディスク装置４内部のスロット４６の動作を確実に実行することができる。
〔２〕第２実施形態
〔２−１〕第２実施形態の構成及び動作
上述した第１実施形態及び第１実施形態の変形例に係る情報処理装置１では、情報処理装置１が電源供給制御部５及び表示部７を備える一方、光ディスク装置４は既存の光ディスク装置であっても良い場合について説明したが、これに限定されるものではない。
【００７９】
第２実施形態に係る情報処理装置１は、図１１及び図４に示す光ディスク装置４Ｃを備えるものである。
図１１は、第２実施形態に係る情報処理装置１の詳細な構成例を示すブロック図である。なお、図１１に示す情報処理装置１において既述の符号と同一の符号は、図２及び図４に示す第１実施形態に係る情報処理装置１と同一の部分若しくは略同一の部分を示しているため、重複した説明は省略する。
【００８０】
図１１に例示するように、第２実施形態に係る光ディスク装置４Ｃは、図２に示す光ディスク装置４Ａと比して、電源供給制御部５Ａ及び表示部７を内部に備える点が異なる。
すなわち、第２実施形態に係る光ディスク装置４Ｃは、電源部６から電源電圧Ｖｃｃ及びＶｃｃ＿スタンバイを供給される電源ラインと、チップセット３のＧＰＩ３１及びＧＰＯ３２に接続されるラインと、チップセット３に接続されて図示しないＣＰＵ２による制御が行なわれるためのラインと、を備えて構成される。
【００８１】
これにより、第２実施形態に係る情報処理装置１は、光ディスク装置４Ｃと、光ディスク装置４Ｃに接続するための上述したラインと、を備える以外は、既存の情報処理装置を用いることができる。
なお、上述の如く構成された第２実施形態に係る情報処理装置１における、媒体検出信号、トレイオープン信号、及び光ディスク装置４Ｃに供給される電源電圧Ｖｃｃ＿スタンバイの関係は、図５を用いて既述のものと同様のため、その説明を省略する。また、情報処理装置１における、光ディスク装置４Ｃ及び表示部７に対する電源制御は、図６を用いて既述のものと同様のため、その説明を省略する。
【００８２】
上述のように、第２実施形態に係る情報処理装置１によっても、上述した第１実施形態と同様の効果を奏することができる。また、電源供給制御部５Ａ及び表示部７が光ディスク装置４Ｃに備えられるため、既存の情報処理装置に第２実施形態に係る光ディスク装置４Ｃを備えるだけ良い。
従って、第１実施形態に係る情報処理装置１を製造するよりも製造／運用コストを抑えることができるとともに、光ディスク装置４Ｃを既存の様々な情報処理装置に備えることができるため、光ディスク装置４Ｃの汎用性を高めることができる。
【００８３】
〔２−２〕第２実施形態の変形例
上述した第２実施形態に係る情報処理装置１についても、図１２に示すように、図７及び図８と同様のスロットイン方式を採用する光ディスク装置４Ｄを備えても良い。
第２実施形態の変形例に係る情報処理装置１は、図１２及び図８に示す光ディスク装置４Ｄを備えるものである。
【００８４】
図１２は、第２実施形態の変形例に係る情報処理装置１の詳細な構成を示すブロック図である。なお、図１２に示す情報処理装置１において既述の符号と同一の符号は、図７及び図８に示す第１実施形態の変形例に係る情報処理装置１と同一の部分若しくは略同一の部分を示しているため、重複した説明は省略する。
図１２に例示するように、第２実施形態の変形例に係る光ディスク装置４Ｄは、図７に示す光ディスク装置４Ｂと比して、電源供給制御部５Ｂ及び表示部７を内部に備える点が異なる。
【００８５】
すなわち、第２実施形態の変形例に係る光ディスク装置４Ｄは、第２実施形態に係る光ディスク装置４Ｃと同様に、電源部６から電源電圧Ｖｃｃ及びＶｃｃ＿スタンバイを供給される電源ラインと、チップセット３のＧＰＩ３１及びＧＰＯ３２に接続されるラインと、チップセット３に接続されて図示しないＣＰＵ２による制御が行なわれるためのラインと、を備えて構成される。
【００８６】
これにより、第２実施形態の変形例に係る情報処理装置１は、光ディスク装置４Ｄと、光ディスク装置４Ｄに接続するための上述したラインと、を備える以外は、既存の情報処理装置を用いることができる。
なお、上述の如く構成された第２実施形態の変形例に係る情報処理装置１における、媒体検出信号、及び光ディスク装置４Ｄに供給される電源電圧Ｖｃｃ＿スタンバイの関係は、図９を用いて既述のものと同様のため、その説明を省略する。また、情報処理装置１における、光ディスク装置４Ｄ及び表示部７に対する電源制御は、図１０を用いて既述のものと同様のため、その説明を省略する。
【００８７】
上述のように、第２実施形態の変形例に係る情報処理装置１によっても、上述した第１実施形態の変形例と同様の効果を奏することができる。また、電源供給制御部５Ｂ及び表示部７が光ディスク装置４Ｄに備えられるため、既存の情報処理装置に第２実施形態の変形例に係る光ディスク装置４Ｄを備えるだけ良い。
従って、第１実施形態の変形例に係る情報処理装置１を製造するよりも製造／運用コストを抑えることができるとともに、光ディスク装置４Ｄを既存の様々な情報処理装置に備えることができるため、光ディスク装置４Ｄの汎用性を高めることができる。
【００８８】
〔３〕その他
以上、本発明の好ましい実施形態について詳述したが、本発明は、かかる特定の実施形態に限定されるものではなく、本発明の趣旨を逸脱しない範囲内において、種々の変形、変更して実施することができる。
例えば、第１及び第２実施形態、並びに各変形例に係る表示部７は、制御部としてのチップセット３による媒体検出信号に応じた制御によって、点灯／点滅、又は消灯が行なわれるものとして説明したが、これに限定されるものではない。例えば、表示部７に係る制御部としての機能を光ディスク装置４が備え、媒体検出部４１からの媒体検出信号の“Ｈ”及び“Ｌ”に応じて、表示部７の点灯／点滅制御を行なっても良い。なお、この場合も、表示部７は、図３、図４、及び図８に示すように、情報処理装置１又は光ディスク装置４の任意の箇所に備えられて良い。
【００８９】
これにより、光ディスク装置４とチップセット３とを接続するラインを減少させることができるため、情報処理装置１の製造コストを低減させることができる。特に第２実施形態及び第２実施形態の変形例に係る情報処理装置１においては、光ディスク装置４Ｃ及び４Ｄは、電源部６から電源電圧Ｖｃｃ及びＶｃｃ＿スタンバイを供給される電源ラインと、チップセット３に接続されて図示しないＣＰＵ２による制御が行なわれるためのラインと、を備えるだけで済むため、情報処理装置１の製造コストを低減させることができる。
【００９０】
また、第１及び第２実施形態、並びに各変形例に係る遅延部５４は、電源供給制御部５ではなく、光ディスク装置４に備えられても良い。
つまり、電源供給制御部５Ａ（ＯＲ回路５２ａ）には、光ディスク装置４Ａ又は４Ｃから、媒体検出信号と、トレイオープン信号及び遅延部５４ａにより遅延されたトレイオープン信号のＯＲの結果と、が入力されるようにしても良い。また、電源供給制御部５Ｂ（ＯＲ回路５２ｂ）には、光ディスク装置４Ｂ又は４Ｄから、媒体検出信号及び遅延部５４ｂにより遅延された媒体検出信号のＯＲの結果、が入力されるようにしても良い。
【００９１】
これにより、媒体検出部４１（及びトレイオープン検出部４２）と電源供給制御部５とを接続するラインを削減することができ、製造コストを低減させることができる。
〔４〕付記
そして、本発明は、以下に示すように要約することができる。
（付記１）
外部から挿入された媒体に対して所定の処理を行なう媒体処理装置と、
情報処理装置が動作状態の場合に、前記媒体処理装置に第１電源電圧を供給する一方、前記情報処理装置がシャットダウン状態の場合に、前記媒体処理装置に第２電源電圧を供給可能な電源部と、
前記媒体処理装置に前記媒体が挿入された状態で、前記情報処理装置がシャットダウン状態の場合に、前記電源部からの前記第２電源電圧を前記媒体処理装置に供給する一方、前記第２電源電圧を供給された前記媒体処理装置から前記媒体が排出された場合に、前記第２電源電圧の前記媒体処理装置への供給を停止する電源供給制御部と、を備えることを特徴とする、情報処理装置。
【００９２】
（付記２）
前記媒体処理装置は、
前記媒体処理装置に媒体が挿入されている状態で、前記情報処理装置がシャットダウン状態の場合に、前記媒体処理装置に前記媒体が挿入されている間、前記第２電源電圧によって、前記電源供給制御部に媒体検出信号を出力する媒体検出部を備え、
前記電源供給制御部は、
前記媒体検出信号が入力されている間、前記電源部からの前記第２電源電圧を前記媒体処理装置に供給することを特徴とする、付記１記載の情報処理装置。
【００９３】
（付記３）
前記媒体検出部が前記媒体検出信号を出力している状態で、前記情報処理装置がシャットダウン状態の場合に、前記電源部からの前記第２電源電圧の供給を受けて、前記媒体が挿入された状態であることを示す表示を行なう表示部をさらに備えることを特徴とする、付記２記載の情報処理装置。
【００９４】
（付記４）
前記媒体検出部から前記媒体検出信号を入力されて、前記表示部に係る制御を行なう制御部をさらに備え、
前記制御部は、前記媒体検出信号が入力されている状態で、前記情報処理装置がシャットダウン状態の場合に、前記電源部からの前記第２電源電圧の供給を受けて、前記表示部に前記表示を行なわせることを特徴とする、付記３記載の情報処理装置。
【００９５】
（付記５）
前記媒体処理装置は、さらに、
開閉することにより、前記媒体を前記媒体処理装置から排出又は前記媒体を前記媒体処理装置に挿入する媒体トレイと、
前記情報処理装置がシャットダウン状態の場合に、前記媒体トレイが開いている間、前記第２電源電圧によって、前記電源供給制御部にトレイオープン信号を出力するトレイオープン検出部と、を備え、
前記電源供給制御部は、前記媒体検出信号及び前記トレイオープン信号のうちの少なくとも一つが入力されている間、前記電源部からの前記第２電源電圧を前記媒体処理装置に供給することを特徴とする、付記２〜４のいずれか１項記載の情報処理装置。
【００９６】
（付記６）
前記トレイオープン信号の入力を遅延させる遅延部をさらに備え、
前記電源供給制御部は、前記媒体検出信号、前記トレイオープン信号、及び、前記遅延部において遅延されたトレイオープン信号、のうちの少なくとも一つが入力されている間、前記電源部からの前記第２電源電圧を前記媒体処理装置に供給することを特徴とする、付記５記載の情報処理装置。
【００９７】
（付記７）
前記媒体検出信号の入力を遅延させる遅延部をさらに備え、
前記電源供給制御部は、前記媒体検出信号、及び、前記遅延部において遅延された媒体検出信号、のうちの少なくとも一つが入力されている間、前記電源部からの前記第２電源電圧を前記媒体処理装置に供給することを特徴とする、付記２〜４のいずれか１項記載の情報処理装置。
【００９８】
（付記８）
前記電源部は、外部の電力源から供給される電源電圧を用いて、前記情報処理装置内に、前記第１電源電圧又は前記第２電源電圧を供給することを特徴とする、付記１〜７のいずれか１項記載の情報処理装置。
（付記９）
前記電源部は、前記情報処理装置上で実行されるＯＳ（Operating System）又はファームウェアのシャットダウンが行なわれた場合に、前記情報処理装置がシャットダウン状態であるとして、前記情報処理装置内に前記第２電源電圧を供給することを特徴とする、付記１〜８のいずれか１項記載の情報処理装置。
【００９９】
（付記１０）
情報処理装置が動作状態の場合に、媒体処理装置に第１電源電圧を供給する一方、前記情報処理装置がシャットダウン状態の場合に、前記媒体処理装置に第２電源電圧を供給可能な電源部を有する前記情報処理装置に備えられ、外部から挿入された媒体に対して所定の処理を行なう前記媒体処理装置であって、
前記媒体処理装置に前記媒体が挿入された状態で、前記情報処理装置がシャットダウン状態の場合に、前記電源部からの前記第２電源電圧を前記媒体処理装置内に供給する一方、前記第２電源電圧を供給された前記媒体処理装置から前記媒体が排出された場合に、前記第２電源電圧の前記媒体処理装置内への供給を停止する電源供給制御部を備えることを特徴とする、媒体処理装置。
【０１００】
（付記１１）
前記媒体処理装置に媒体が挿入されている状態で、前記情報処理装置がシャットダウン状態の場合に、前記媒体処理装置に前記媒体が挿入されている間、前記第２電源電圧によって、前記電源供給制御部に媒体検出信号を出力する媒体検出部をさらに備え、
前記電源供給制御部は、
前記媒体検出信号が入力されている間、前記電源部からの前記第２電源電圧を前記媒体処理装置内に供給することを特徴とする、付記１０記載の媒体処理装置。
【０１０１】
（付記１２）
前記媒体検出部が前記媒体検出信号を出力している状態で、前記情報処理装置がシャットダウン状態の場合に、前記電源部からの前記第２電源電圧の供給を受けて、前記媒体が挿入された状態であることを示す表示を行なう表示部をさらに備えることを特徴とする、付記１１記載の媒体処理装置。
【０１０２】
（付記１３）
前記媒体検出部から前記媒体検出信号を入力されて、前記表示部に係る制御を行なう制御部をさらに備え、
前記制御部は、前記媒体検出信号が入力されている状態で、前記情報処理装置がシャットダウン状態の場合に、前記電源部からの前記第２電源電圧の供給を受けて、前記表示部に前記表示を行なわせることを特徴とする、付記１２記載の媒体処理装置。
【０１０３】
（付記１４）
開閉することにより、前記媒体を前記媒体処理装置から排出又は前記媒体を前記媒体処理装置に挿入する媒体トレイと、
前記情報処理装置がシャットダウン状態の場合に、前記媒体トレイが開いている間、前記第２電源電圧によって、前記電源供給制御部にトレイオープン信号を出力するトレイオープン検出部と、をさらに備え、
前記電源供給制御部は、前記媒体検出信号及び前記トレイオープン信号のうちの少なくとも一つが入力されている間、前記電源部からの前記第２電源電圧を前記媒体処理装置内に供給することを特徴とする、付記１１〜１３のいずれか１項記載の媒体処理装置。
【０１０４】
（付記１５）
前記トレイオープン信号の入力を遅延させる遅延部をさらに備え、
前記電源供給制御部は、前記媒体検出信号、前記トレイオープン信号、及び、前記遅延部において遅延されたトレイオープン信号、のうちの少なくとも一つが入力されている間、前記電源部からの前記第２電源電圧を前記媒体処理装置に供給することを特徴とする、付記１４記載の媒体処理装置。
【０１０５】
（付記１６）
前記媒体検出信号の入力を遅延させる遅延部をさらに備え、
前記電源供給制御部は、前記媒体検出信号、及び、前記遅延部において遅延された媒体検出信号、のうちの少なくとも一つが入力されている間、前記電源部からの前記第２電源電圧を前記媒体処理装置に供給することを特徴とする、付記１１〜１３のいずれか１項記載の媒体処理装置。
【０１０６】
（付記１７）
前記電源部は、外部の電力源から供給される電源電圧を用いて、前記媒体処理装置内に、前記第１電源電圧又は前記第２電源電圧を供給することを特徴とする、付記１０〜１６のいずれか１項記載の媒体処理装置。
（付記１８）
前記電源部は、前記情報処理装置上で実行されるＯＳ（Operating System）が又はファームウェアのシャットダウンが行なわれた場合に、前記情報処理装置がシャットダウン状態であるとして、前記媒体処理装置内に前記第２電源電圧を供給することを特徴とする、付記１０〜１７のいずれか１項記載の媒体処理装置。
【符号の説明】
【０１０７】
１    情報処理装置
２    ＣＰＵ
３    チップセット（ＩＯコントローラ，制御部）
３１    ＧＰＩ
３２    ＧＰＯ
４，４Ａ〜４Ｄ，４００    光ディスク装置（媒体処理装置）
４１    媒体検出部
４２    トレイオープン検出部
４３，４３０    媒体トレイ
４４，４４０    イジェクトボタン
４５，４５０    強制イジェクトホール
４６    スロット
５，５Ａ，５Ｂ    電源供給制御部
５１    スイッチ部
５２ａ，５２ｂ，５５    ＯＲ回路
５３    スイッチ
５４，５４ａ，５４ｂ    遅延部
６    電源部
７    表示部
【図１】
2013069117.tif 000003
【図２】
2013069117.tif 000004
【図３】
2013069117.tif 000005
【図４】
2013069117.tif 000006
【図５】
2013069117.tif 000007
【図６】
2013069117.tif 000008
【図７】
2013069117.tif 000009
【図８】
2013069117.tif 000010
【図９】
2013069117.tif 000011
【図１０】
2013069117.tif 000012
【図１１】
2013069117.tif 000013
【図１２】
2013069117.tif 000014
【図１３】
2013069117.tif 000015